(57)【要約】【課題】特定のＵＥカテゴリに対応するユーザ装置が、ユーザ装置の能力の範囲内で適切に通信を行うことが可能な技術を提供する。【解決手段】基地局とユーザ装置とを有する無線通信システムにおけるユーザ装置であって、当該ユーザ装置でサポートするバンド組み合わせ、ＭＩＭＯレイヤ数及び変調方式と、当該ユーザ装置でサポートするＵＥカテゴリとを前記基地局に通知する通知部と、当該ユーザ装置がサポートするバンド組み合わせ、ＭＩＭＯレイヤ数及び変調方式で行われるキャリアアグリゲーションで実現可能な最大ビットレートが、当該ユーザ装置でサポートするＵＥカテゴリでサポートすべき最大ビットレートを超える場合に、前記ＵＥカテゴリで当該ユーザ装置がサポートすべき最大ビットレート以下で前記基地局からデータを受信する受信部と、を有するユーザ装置を提供する。【選択図】図５
2017147515.tif 000002
【特許請求の範囲】
【請求項１】
基地局とユーザ装置とを有する無線通信システムにおけるユーザ装置であって、
当該ユーザ装置でサポートするバンド組み合わせ、ＭＩＭＯレイヤ数及び変調方式と、当該ユーザ装置でサポートするＵＥカテゴリとを前記基地局に通知する通知部と、
当該ユーザ装置がサポートするバンド組み合わせ、ＭＩＭＯレイヤ数及び変調方式で行われるキャリアアグリゲーションで実現可能な最大ビットレートが、当該ユーザ装置でサポートするＵＥカテゴリでサポートすべき最大ビットレートを超える場合に、前記ＵＥカテゴリで当該ユーザ装置がサポートすべき最大ビットレート以下で前記基地局からデータを受信する受信部と、
を有するユーザ装置。
【請求項２】
基地局とユーザ装置とを有する無線通信システムにおける基地局であって、
前記ユーザ装置のＵＥカテゴリごとに、前記ユーザ装置がサポートすべき最大ビットレートを記憶する記憶部と、
前記ユーザ装置のＵＥカテゴリを取得する取得部と、
キャリアアグリゲーションを行う場合であって、かつ、取得した前記ユーザ装置のＵＥカテゴリが特定のＵＥカテゴリである場合、前記特定のＵＥカテゴリで前記ユーザ装置がサポートすべき最大ビットレートを超えない範囲でスケジューリングを行うスケジューリング部と、
を有する基地局。
【請求項３】
前記スケジューリング部は、所定のバンド組み合わせ、所定のＭＩＭＯレイヤ数及び所定の変調方式でキャリアアグリゲーションを行う場合に、当該所定のバンド組み合わせ、所定のＭＩＭＯレイヤ数及び所定の変調方式で行われるキャリアアグリゲーションで実現可能な最大ビットレートが、前記特定のＵＥカテゴリで前記ユーザ装置がサポートすべき所定の幅の最大ビットレートの上限を超える場合、前記特定のＵＥカテゴリで前記ユーザ装置がサポートすべき所定の幅の最大ビットレートの上限を超えない範囲でスケジューリングを行う、
請求項２に記載の基地局。
【請求項４】
基地局とユーザ装置とを有する無線通信システムにおけるユーザ装置が実行する通信方法であって、
当該ユーザ装置でサポートするバンド組み合わせ、ＭＩＭＯレイヤ数及び変調方式と、当該ユーザ装置でサポートするＵＥカテゴリとを前記基地局に通知するステップと、
当該ユーザ装置がサポートするバンド組み合わせ、ＭＩＭＯレイヤ数及び変調方式で行われるキャリアアグリゲーションで実現可能な最大ビットレートが、当該ユーザ装置でサポートするＵＥカテゴリでサポートすべき最大ビットレートを超える場合に、前記ＵＥカテゴリで当該ユーザ装置がサポートすべき最大ビットレート以下で前記基地局からデータを受信するステップと、
を有する通信方法。
【発明の詳細な説明】
【技術分野】
【０００１】
本発明は、ユーザ装置、基地局及び通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、４Ｇ、５Ｇなどともいう）も検討されている。
【０００３】
ＬＴＥにおけるユーザ装置は、端末能力に応じて複数のカテゴリに分類される。当該カテゴリは「ＵＥカテゴリ」と呼ばれ、例えば、３ＧＰＰ  リリース１０で規定されたカテゴリ６のユーザ装置は、ＤＬ（Downlink）の最大ビットレート（ピークレート）及びＵＬ（Downlink）最大ビットレートとしてそれぞれ３００Ｍｂｐｓ及び５１Ｍｂｐｓをサポートする。また、３ＧＰＰ  リリース１２以降から、ＵＥカテゴリは、ＤＬとＵＬに分けて規定されている。ＤＬのＵＥカテゴリは、「ＵＥ  ＤＬカテゴリ」と呼ばれ、ＵＬのＵＥカテゴリは、「ＵＥ  ＵＬカテゴリ」と呼ばれる（非特許文献１）。ユーザ装置ＵＥは、例えばネットワークへの接続時等に、自身がサポートするＵＥカテゴリを所定のシグナリングメッセージ（ＵＥ−ＥＵＴＲＡ−Ｃａｐａｂｉｌｉｔｙ）で基地局に通知することが規定されている。
【０００４】
また、ＬＴＥ−Ａｄｖａｎｃｅｄでは、ＬＴＥとのバックワードコンパチビリティを保ちつつ、ＬＴＥを上回るスループットを実現するために、ＬＴＥでサポートされている帯域幅（最大２０ＭＨｚ）を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。
【０００５】
ＣＡをサポートするユーザ装置は、前述のＵＥカテゴリと同様、自身のＣＡ能力を所定のシグナリングメッセージ（ＵＥ−ＥＵＴＲＡ−Ｃａｐａｂｉｌｉｔｙ）で基地局ｅＮＢに通知することが規定されている。ＣＡ能力の通知において、より具体的には、ユーザ装置ＵＥは、自身がＣＡにおいてサポートするバンドの組み合わせ（バンドコンビネーション、ＢａｎｄＣｏｍｂｉｎａｔｉｏｎ）を基地局に通知すると共に、ＵＬ／ＤＬ個別にバンドコンビネーション毎、バンド毎に、サポートするＭＩＭＯレイヤ数、サポートする変調方式などを基地局に通知する。
【先行技術文献】
【非特許文献】
【０００６】
【非特許文献１】３ＧＰＰ  ＴＳ３６．３０６  Ｖ１３．０．０（２０１５−１２）
【非特許文献２】３ＧＰＰ  ＴＳ３６．３３１  Ｖ１３．０．０（２０１５−１２）
【発明の概要】
【発明が解決しようとする課題】
【０００７】
ＵＥ  ＤＬカテゴリ毎にユーザ装置がサポートすべき受信能力として非特許文献１で規定されている値を図１に示す。図１の「Maximum number of DL-SCH transport block bits received within a TTI」で規定されているように、カテゴリ１５のユーザ装置は、ＤＬ−ＳＣＨ（Downlink-Shared Channel）において１ＴＴＩ（１ｍｓ）で受信可能な最大ビットレートとして、７４９８５６〜７９８８００ビットをサポートすべきであることが規定されている。同様に、カテゴリ１６のユーザ装置は、ＤＬ−ＳＣＨにおいて１ＴＴＩ（１ｍｓ）で受信可能な最大ビットレートとして、９７８９６０〜１０５１３６０ビットをサポートすべきであることが規定されている。なお、図１で規定されている数値は１ｍｓあたりの最大ビットレートであるため、図１に示す数を１０００倍することで１秒あたりの最大ビットレートに換算することができる。つまり、カテゴリ１５のユーザ装置がサポートすべきＤＬの最大ビットレートは、約８００Ｍｂｐｓであり、カテゴリ１６のユーザ装置がサポートすべきＤＬの最大ビットレートは、約１Ｇｂｐｓである。
【０００８】
カテゴリ１５及びカテゴリ１６のユーザ装置がサポートすべき最大ビットレートは固定値ではなく幅を持って規定されている。これは、同一カテゴリのユーザ装置であっても、サポートするバンド組み合わせ（ＣＡバンド組み合わせ）、ＭＩＭＯレイヤ数、変調方式の能力が同一であるとは限られないため、ユーザ装置毎にサポート可能な最大ビットレートが異なることを許容するためである。
【０００９】
ここで、キャリアアグリゲーションにおける各ＣＣの組み合わせによっては、図１に示す最大ピークレートを超えてしまうことがある。図２は、図１の「Maximum number of bits of a DL-SCH transport block received within a TTI」に記載されている最大ビットレートを用いて、ＣＣの組み合わせと、１ＴＴＩあたりのＤＬの最大ビットレートを計算した表である。例えば、図２に示すＣＡパターンＡは、各ＣＣが２ｘ２ＭＩＭＯ及び６４ＱＡＭである５ＣＣから構成されるＣＣの組み合わせを示している。図１の「Maximum number of bits of a DL-SCH transport block received within a TTI」より、２レイヤ（２ｘ２ＭＩＭＯ）及び６４ＱＡＭの最大ビットレートは７５３７６ビットであるため、５ＣＣを組み合わせたＣＡパターンＡにおける最大ビットレートは、７５３７６×５（５ＣＣ）×２（ＬＴＥでは、１ＴＴＩあたり最大２ＴＢ送信可能）＝７５３７６０ビットであると計算することができる。同様の方法でＣＡパターンＢ及びＣにおける最大ビットレートを計算すると、それぞれ８４３８４０ビット及び８４１８８８ビットになってしまう。すなわち、ＣＡパターンＢ及びＣでは、図１の「Maximum number of DL-SCH transport block bits received within a TTI」で規定されるカテゴリ１５のユーザ装置がサポートすべき最大ビットレートを超えてしまうことになる。同様の問題は、カテゴリ１６のユーザ装置にも発生し得る。
【００１０】
現在の３ＧＰＰの規定では、ＣＡパターンＢ及びＣのようなキャリアアグリゲーションを行う場合に、ユーザ装置がサポートすべき最大ビットレートとしてＵＥカテゴリの規定（すなわち、図１に規定される値）を適用すべきなのか、ユーザ装置のＣＡ能力に応じたＣＣの組み合わせにおける最大ビットレートを適用すべきなのかが規定されていない。仮に、基地局ｅＮＢが、ＤＬのスケジューリングを行う際にユーザ装置の能力を超えたビットレートでスケジューリングを行ってしまうと、ユーザ装置側でＤＬのデータを受信することができず、結果として再送等が繰り返されることでＤＬのスループットが劣化してしまう可能性がある。
【００１１】
開示の技術は上記に鑑みてなされたものであって、特定のＵＥカテゴリに対応するユーザ装置が、ユーザ装置の能力の範囲内で適切に通信を行うことが可能な技術を提供することを目的とする。
【課題を解決するための手段】
【００１２】
開示の技術のユーザ装置は、基地局とユーザ装置とを有する無線通信システムにおけるユーザ装置であって、当該ユーザ装置でサポートするバンド組み合わせ、ＭＩＭＯレイヤ数及び変調方式と、当該ユーザ装置でサポートするＵＥカテゴリとを前記基地局に通知する通知部と、当該ユーザ装置がサポートするバンド組み合わせ、ＭＩＭＯレイヤ数及び変調方式で行われるキャリアアグリゲーションで実現可能な最大ビットレートが、当該ユーザ装置でサポートするＵＥカテゴリでサポートすべき最大ビットレートを超える場合に、前記ＵＥカテゴリで当該ユーザ装置がサポートすべき最大ビットレート以下で前記基地局からデータを受信する受信部と、を有する。
【発明の効果】
【００１３】
開示の技術によれば、特定のＵＥカテゴリに対応するユーザ装置が、ユーザ装置の能力の範囲内で適切に通信を行うことが可能な技術が提供される。
【図面の簡単な説明】
【００１４】
【図１】ＵＥ  ＤＬカテゴリ毎の３ＧＰＰ規定を示す図である。
【図２】ＣＡにおける最大ビットレートを示す図である。
【図３】実施の形態に係る無線通信システムの構成例を示す図である。
【図４】実施の形態に係る基地局の機能構成例を示す図である。
【図５】実施の形態に係るユーザ装置の機能構成例を示す図である。
【図６】実施の形態に係る基地局のハードウェア構成例を示す図である。
【図７】実施の形態に係るユーザ装置のハードウェア構成例を示す図である。
【図８】実施の形態に係る無線通信システムが行う処理手順を示すシーケンス図である。
【図９】標準仕様変更例を示す図である。
【発明を実施するための形態】
【００１５】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００１６】
また、以下の実施の形態は、主にＵＥ  ＤＬカテゴリ１５又は１６を対象に説明するが、これに限られない。将来的に、ユーザ装置がサポートすべき最大ビットレートが固定値ではなく幅を持って規定される新たなＵＥカテゴリに対しても適用することができる。
【００１７】
＜システム構成＞
図３は、実施の形態に係る無線通信システムの構成例を示す図である。図３に示すように、実施の形態に係る無線通信システムは、基地局ｅＮＢとユーザ装置ＵＥとを有する。ユーザ装置ＵＥ、及び基地局ｅＮＢは、ＣＡを行うことが可能である。図３には、ユーザ装置ＵＥ、及び基地局ｅＮＢが１つずつ示されているが、これは例であり、それぞれ複数であってもよい。また、ユーザ装置ＵＥは、複数の基地局ｅＮＢと同時に通信を行う能力（Ｄｕａｌ  Ｃｏｎｎｅｃｔｉｖｉｔｙ）を備えていてもよい。
【００１８】
＜機能構成＞
次に、本実施の形態に係るユーザ装置ＵＥと基地局ｅＮＢにおける機能構成を説明する。
【００１９】
（基地局）
図４は、実施の形態に係る基地局の機能構成例を示す図である。図４に示すように、基地局ｅＮＢは、信号送信部１０１、信号受信部１０２、ＵＥ能力取得部１０３、スケジューリング部１０４及び記憶部１０５を含む。図４は、基地局ｅＮＢにおける主要な機能部のみを示すものであり、少なくともＬＴＥに準拠した動作を行うための図示しない機能も有するものである。また、図４に示す機能構成は一例に過ぎない。本実施の形態に係る動作を実行できるのであれば、機能区分や機能部の名称はどのようなものでもよい。当該基地局ｅＮＢは、単独の基地局ｅＮＢでもよいし、設定（Ｃｏｎｆｉｇｕｒａｔｉｏｎ）により、ＤＣを実行する際にはＭｅＮＢとＳｅＮＢのいずれにもなり得る。
【００２０】
信号送信部１０１は、基地局ｅＮＢから送信されるべき上位のレイヤの信号から、物理レイヤの各種信号を生成し、無線送信する機能を含む。信号受信部１０２は、各ユーザ装置ＵＥから各種の信号を無線受信し、受信した物理レイヤの信号からより上位のレイヤの信号を取得する機能を含む。信号送信部１０１及び信号受信部１０２はそれぞれ、複数のＣＣを束ねて通信を行うＣＡを実行する機能を含む。また、信号送信部１０１及び信号受信部１０２は、ＲＲＨ（Remote Radio Head）のように、基地局ｅＮＢの本体（制御部）から遠隔に設置された無線通信部を含んでもよい。
【００２１】
信号送信部１０１及び信号受信部１０２はそれぞれ、パケットバッファを備え、レイヤ１（ＰＨＹ）、レイヤ２（ＭＡＣ、ＲＬＣ、ＰＤＣＰ）及びレイヤ３（ＲＲＣ）の処理を行うことを想定している。ただし、これに限られるわけではない。
【００２２】
ＵＥ能力取得部１０３は、ユーザ装置ＵＥから通知されたＵＥ能力（ＵＥ−ＥＵＴＲＡ−Ｃａｐａｂｉｌｉｔｙ）を取得し、メモリ等に記憶する機能を含む。
【００２３】
スケジューリング部１０４は、ユーザ装置ＵＥに対して無線リソースを割当てるスケジューリング処理を行う機能を含む。
【００２４】
記憶部１０５は、ユーザ装置ＵＥのＵＥカテゴリごとに、ユーザ装置ＵＥがサポートすべき最大ビットレートを記憶する。例えば、後述する図９に示すテーブルを記憶していてもよい。
【００２５】
（ユーザ装置）
図５は、実施の形態に係るユーザ装置の機能構成例を示す図である。図５に示すように、ユーザ装置ＵＥは、信号送信部２０１、信号受信部２０２、及びＵＥ能力通知部２０３を含む。図５は、ユーザ装置ＵＥにおいて本発明の実施の形態に特に関連する機能部のみを示すものであり、少なくともＬＴＥに準拠した動作を行うための図示しない機能も有するものである。また、図５に示す機能構成は一例に過ぎない。本実施の形態に係る動作を実行できるのであれば、機能区分や機能部の名称はどのようなものでもよい。
【００２６】
信号送信部２０１は、ユーザ装置ＵＥから送信されるべき上位のレイヤの信号から、物理レイヤの各種信号を生成し、無線送信する機能を含む。信号受信部２０２は、基地局ｅＮＢから各種の信号を無線受信し、受信した物理レイヤの信号からより上位のレイヤの信号を取得する機能を含む。信号送信部２０１及び信号受信部２０２はそれぞれ、複数のＣＣを束ねて通信を行うＣＡを実行する機能を含む。
【００２７】
信号送信部２０１及び信号受信部２０２はそれぞれ、パケットバッファを備え、レイヤ１（ＰＨＹ）、レイヤ２（ＭＡＣ、ＲＬＣ、ＰＤＣＰ）及びレイヤ３（ＲＲＣ）の処理を行うことを想定している。ただし、これに限られるわけではない。
【００２８】
また、信号受信部２０２は、ユーザ装置ＵＥ自身がサポートするバンド組み合わせ（ＣＣの組み合わせ）、ＭＩＭＯレイヤ数及び変調方式で行われるキャリアアグリゲーションで実現可能な最大ビットレートが、自身がサポートするＵＥカテゴリでサポートすべき最大ビットレートとして標準仕様で規定された最大ビットレートを超える場合、当該標準仕様で規定された最大ビットレートで受信可能な能力を有する。つまり、信号受信部２０２は、当該ＵＥカテゴリでユーザ装置ＵＥがサポートすべき最大ビットレート以下のビットレートで基地局ｅＮＢからデータを受信することができる。
【００２９】
また、信号受信部２０２は、ユーザ装置ＵＥ自身がサポートするバンド組み合わせ（ＣＣの組み合わせ）、ＭＩＭＯレイヤ数及び変調方式で行われるキャリアアグリゲーションで実現可能な最大ビットレートが、自身がサポートするＵＥカテゴリでサポートすべき最大ビットレートとして標準仕様で規定された所定の幅の最大ビットレートの上限を超える場合、当該標準仕様で規定された所定の幅の最大ビットレートの上限（当該標準仕様で規定された所定の幅の最大ビットレートのうち最も大きいビットレート）で受信可能な能力を有する。つまり、信号受信部２０２は、当該ＵＥカテゴリでユーザ装置ＵＥがサポートすべき所定の幅の最大ビットレートの上限以下のビットレートで基地局ｅＮＢからデータを受信することができる。
【００３０】
ＵＥ能力通知部２０３は、基地局ｅＮＢに、自身のＵＥ能力（ＵＥ−ＥＵＴＲＡ−Ｃａｐａｂｉｌｉｔｙ）を通知する機能を有する。
【００３１】
以上説明したユーザ装置ＵＥ及び基地局ｅＮＢの機能構成は、全体をハードウェア回路（例えば、１つ又は複数のＩＣチップ）で実現してもよいし、一部をハードウェア回路で構成し、その他の部分をＣＰＵとプログラムとで実現してもよい。
【００３２】
（基地局）
図６は、実施の形態に係る基地局のハードウェア構成例を示す図である。図６は、図４よりも実装例に近い構成を示している。図６に示すように、基地局ｅＮＢは、無線信号に関する処理を行うＲＦ（Radio Frequency）モジュール３０１と、ベースバンド信号処理を行うＢＢ（Base Band）処理モジュール３０２と、上位レイヤ等の処理を行う装置制御モジュール３０３と、ネットワークと接続するためのインタフェースである通信ＩＦ３０４とを有する。
【００３３】
ＲＦモジュール３０１は、ＢＢ処理モジュール３０２から受信したデジタルベースバンド信号に対して、Ｄ／Ａ（Digital-to-Analog）変換、変調、周波数変換、及び電力増幅等を行うことでアンテナから送信すべき無線信号を生成する。また、受信した無線信号に対して、周波数変換、Ａ／Ｄ（Analog to Digital）変換、復調等を行うことでデジタルベースバンド信号を生成し、ＢＢ処理モジュール３０２に渡す。ＲＦモジュール３０１は、例えば、図４に示す信号送信部１０１及び信号受信部１０２の一部を含む。
【００３４】
ＢＢ処理モジュール３０２は、ＩＰパケットとデジタルベースバンド信号とを相互に変換する処理を行う。ＤＳＰ（Digital Signal Processor）３１２は、ＢＢ処理モジュール３０２における信号処理を行うプロセッサである。メモリ３２２は、ＤＳＰ３１２のワークエリアとして使用される。ＢＢ処理モジュール３０２は、例えば、図４に示す信号送信部１０１の一部、信号受信部１０２の一部、及びスケジューリング部１０４を含む。
【００３５】
装置制御モジュール３０３は、ＩＰレイヤのプロトコル処理、ＯＡＭ（Operation and Maintenance）処理等を行う。プロセッサ３１３は、装置制御モジュール３０３が行う処理を行うプロセッサである。メモリ３２３は、プロセッサ３１３のワークエリアとして使用される。補助記憶装置３３３は、例えばＨＤＤ等であり、基地局ｅＮＢ自身が動作するための各種設定情報等が格納される。装置制御モジュール３０３は、例えば、図４に示す信号送信部１０１の一部、信号受信部１０２の一部、ＵＥ能力取得部１０３及び記憶部１０５を含む。
【００３６】
（ユーザ装置）
図７は、実施の形態に係るユーザ装置のハードウェア構成例を示す図である。図７は、図５よりも実装例に近い構成を示している。図７に示すように、ユーザ装置ＵＥは、無線信号に関する処理を行うＲＦモジュール４０１と、ベースバンド信号処理を行うＢＢ処理モジュール４０２と、上位レイヤ等の処理を行うＵＥ制御モジュール４０３とを有する。
【００３７】
ＲＦモジュール４０１は、ＢＢ処理モジュール４０２から受信したデジタルベースバンド信号に対して、Ｄ／Ａ変換、変調、周波数変換、及び電力増幅等を行うことでアンテナから送信すべき無線信号を生成する。また、受信した無線信号に対して、周波数変換、Ａ／Ｄ変換、復調等を行うことでデジタルベースバンド信号を生成し、ＢＢ処理モジュール４０２に渡す。ＲＦモジュール４０１は、例えば、図５に示す信号送信部２０１及び信号受信部２０２の一部を含む。
【００３８】
ＢＢ処理モジュール４０２は、ＩＰパケットとデジタルベースバンド信号とを相互に変換する処理を行う。ＤＳＰ４１２は、ＢＢ処理モジュール４０２における信号処理を行うプロセッサである。メモリ４２２は、ＤＳＰ４１２のワークエリアとして使用される。ＢＢ処理モジュール４０２は、例えば、図５に示す信号送信部２０１の一部、信号受信部２０２の一部を含む。
【００３９】
ＵＥ制御モジュール４０３は、ＩＰレイヤのプロトコル処理、各種アプリケーションの処理等を行う。プロセッサ４１３は、ＵＥ制御モジュール４０３が行う処理を行うプロセッサである。メモリ４２３は、プロセッサ４１３のワークエリアとして使用される。ＵＥ制御モジュール４０３は、例えば、図５に示す信号送信部２０１の一部、信号受信部２０２の一部及びＵＥ能力通知部２０３を含む。
【００４０】
＜処理手順＞
図８は、実施の形態に係る無線通信システムが行う処理手順を示すシーケンス図である。
【００４１】
ステップＳ１１で、ユーザ装置ＵＥのＵＥ能力通知部２０３は、自身のＵＥ能力（ＵＥ−ＥＵＴＲＡ−Ｃａｐａｂｉｌｉｔｙ）を含むＵＥ能力通知メッセージを基地局ｅＮＢに通知する。ＵＥ能力通知メッセージは、例えば、ＲＲＣメッセージにおける「ＵＥＣａｐａｂｉｌｉｔｙＩｎｆｏｍａｔｉｏｎ」である。より具体的には、ＵＥ能力通知部２０３は、ＵＥ能力として、ＵＥカテゴリ（ＵＥ  ＤＬカテゴリ及びＵＥ  ＵＬカテゴリを含む）と、ＣＡ能力とを基地局ｅＮＢに通知する。当該ＣＡ能力には、ユーザ装置ＵＥ自身がサポートするバンドの組み合わせ、ＵＬ／ＤＬ個別にバンドの組み合わせ毎、バンド毎にユーザ装置ＵＥがサポートするＭＩＭＯレイヤ数、変調方式（２５６ＱＡＭなど）などを含む。基地局ｅＮＢのＵＥ能力取得部１０３は、ユーザ装置ＵＥから通知されたＵＥ能力をメモリ等に格納する。
【００４２】
ステップＳ１２で、基地局ｅＮＢのスケジューリング部１０４は、ユーザ装置ＵＥに対して無線リソースを割当てる。ここで、スケジューリング部１０４は、ＣＡを行う場合、ユーザ装置ＵＥから通知されたＵＥ能力に基づき、ＵＥカテゴリで規定された最大ビットレートを超えない範囲でスケジューリングを行う。例えば、ユーザ装置ＵＥのＵＥ  ＤＬカテゴリが特定のカテゴリ（ＵＥ  ＤＬカテゴリ１５又は１６）の場合、各ＤＬ  ＣＣを束ねた場合に送信可能な最大ビットレートが、当該特定のカテゴリのユーザ装置ＵＥがサポートすべき最大ビットレートとして標準仕様に規定されている所定の幅の最大ビットレートの上限を超える場合であっても、当該標準仕様に規定されている所定の幅の最大ビットレートの上限を超えないようにスケジューリングを行う。
【００４３】
具体例として、ユーザ装置ＵＥのＵＥ  ＤＬカテゴリが１５であり、かつ、図２に示すＣＡパターンＣにおけるＣＣ（バンド）の組み合わせでＣＡを行っている場合を想定する。この場合、ＣＡパターンＣにおける理論上の最大ビットレートは１ＴＴＩあたり８４１８８８ビットである。一方、ユーザ装置ＵＥが受信可能な最大ビットレートは、図１に示すように１ＴＴＩあたり最大７４９８５６〜７９８８００ビットである。従って、基地局ｅＮＢのスケジューリング部１０４は、１ＴＴＩあたり、７４９８５６〜７９８８００ビットのうち最も大きい値である７９８８００ビット以下になるようにスケジューリングを行う。
【００４４】
ステップＳ１３で、基地局ｅＮＢは、ユーザ装置ＵＥに送信すべきデータからＴＢを生成し、生成したＴＢをスケジューリングした無線リソースにマッピングしてユーザ装置ＵＥに送信する。ユーザ装置ＵＥの信号受信部２０２は、送信されたＴＢを受信して復号することでデータを取得する。
【００４５】
以上、実施の形態に係る無線通信システムが行う処理手順について説明した。ユーザ装置ＵＥの信号受信部２０２は、前述の通り、ユーザ装置ＵＥ自身がサポートするバンド組み合わせ、ＭＩＭＯレイヤ数及び変調方式で行われるキャリアアグリゲーションで実現可能な最大ビットレートが、自身がサポートするＵＥカテゴリでサポートすべきとして標準仕様で規定された所定の幅の最大ビットレートの上限を超えてしまう場合、当該標準仕様で規定された所定の幅の最大ビットレートの上限で受信可能な能力を有するようにした。また、基地局ｅＮＢのスケジューリング部１０４は、ユーザ装置ＵＥがサポートするＵＥカテゴリでサポートすべき最大ビットレートとして規定された所定の幅の最大ビットレートの上限を超えないようにスケジューリングを行うようにした。これにより、特定のＵＥカテゴリ（ＵＥ  ＤＬカテゴリ１５又は１６）に対応するユーザ装置ＵＥであっても、ユーザ装置ＵＥの能力の範囲内で適切に通信を行うことが可能になる。
【００４６】
なお、以上説明した実施の形態に対応する標準仕様変更例を図９に示す。図９の下線部は、本実施の形態に対応する変更箇所である。
【００４７】
＜まとめ＞
以上、実施の形態によれば、基地局とユーザ装置とを有する無線通信システムにおけるユーザ装置であって、当該ユーザ装置でサポートするバンド組み合わせ、ＭＩＭＯレイヤ数及び変調方式と、当該ユーザ装置でサポートするＵＥカテゴリとを前記基地局に通知する通知部と、当該ユーザ装置がサポートするバンド組み合わせ、ＭＩＭＯレイヤ数及び変調方式で行われるキャリアアグリゲーションで実現可能な最大ビットレートが、当該ユーザ装置でサポートするＵＥカテゴリでサポートすべき最大ビットレートを超える場合に、前記ＵＥカテゴリで当該ユーザ装置がサポートすべき最大ビットレート以下で前記基地局からデータを受信する受信部と、を有するユーザ装置が提供される。このユーザ装置ＵＥにより、特定のＵＥカテゴリに対応するユーザ装置が、ユーザ装置の能力の範囲内で適切に通信を行うことが可能な技術が提供される。
【００４８】
また、実施の形態によれば、基地局とユーザ装置とを有する無線通信システムにおける基地局であって、前記ユーザ装置のＵＥカテゴリごとに、前記ユーザ装置がサポートすべき最大ビットレートを記憶する記憶部と、前記ユーザ装置のＵＥカテゴリを取得する取得部と、キャリアアグリゲーションを行う場合であって、かつ、取得した前記ユーザ装置のＵＥカテゴリが特定のＵＥカテゴリである場合、前記特定のＵＥカテゴリで前記ユーザ装置がサポートすべき最大ビットレートを超えない範囲でスケジューリングを行うスケジューリング部と、を有する基地局が提供される。この基地局ｅＮＢにより、特定のＵＥカテゴリに対応するユーザ装置が、ユーザ装置の能力の範囲内で適切に通信を行うことが可能な技術が提供される。
【００４９】
また、前記スケジューリング部は、所定のバンド組み合わせ、所定のＭＩＭＯレイヤ数及び所定の変調方式でキャリアアグリゲーションを行う場合に、当該所定のバンド組み合わせ、所定のＭＩＭＯレイヤ数及び所定の変調方式で行われるキャリアアグリゲーションで実現可能な最大ビットレートが、前記特定のＵＥカテゴリで前記ユーザ装置がサポートすべき所定の幅の最大ビットレートの上限を超える場合、前記特定のＵＥカテゴリで前記ユーザ装置がサポートすべき所定の幅の最大ビットレートの上限を超えない範囲でスケジューリングを行うようにしてもよい。これにより、ユーザ装置ＵＥの能力を超えたビットレートでスケジューリングを行ってしまい、結果的にスループットが低下してしまうのを防止することができる。
【００５０】
また、実施の形態によれば、基地局とユーザ装置とを有する無線通信システムにおけるユーザ装置が実行する通信方法であって、当該ユーザ装置でサポートするバンド組み合わせ、ＭＩＭＯレイヤ数及び変調方式と、当該ユーザ装置でサポートするＵＥカテゴリとを前記基地局に通知するステップと、当該ユーザ装置がサポートするバンド組み合わせ、ＭＩＭＯレイヤ数及び変調方式で行われるキャリアアグリゲーションで実現可能な最大ビットレートが、当該ユーザ装置でサポートするＵＥカテゴリでサポートすべき最大ビットレートを超える場合に、前記ＵＥカテゴリで当該ユーザ装置がサポートすべき最大ビットレート以下で前記基地局からデータを受信するステップと、を有する通信方法が提供される。この通信方法により、特定のＵＥカテゴリに対応するユーザ装置が、ユーザ装置の能力の範囲内で適切に通信を行うことが可能な技術が提供される。
【００５１】
＜実施形態の補足＞
以上、本発明の実施の形態で説明する各装置（ユーザ装置ＵＥ／基地局ｅＮＢ）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００５２】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置ＵＥ／基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア及び本発明の実施の形態に従って基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【符号の説明】
【００５３】
ＵＥ  ユーザ装置
ｅＮＢ  基地局
１０１  信号送信部
１０２  信号受信部
１０３  ＵＥ能力取得部
１０４  スケジューリング部
１０５  記憶部
２０１  信号送信部
２０２  信号受信部
２０３  ＵＥ能力通知部
３０１  ＲＦモジュール
３０２  ＢＢ処理モジュール
３０３  装置制御モジュール
３０４  通信ＩＦ
４０１  ＲＦモジュール
４０２  ＢＢ処理モジュール
４０３  ＵＥ制御モジュール
【図１】
2017147515.tif 000003
【図２】
2017147515.tif 000004
【図３】
2017147515.tif 000005
【図４】
2017147515.tif 000006
【図５】
2017147515.tif 000007
【図６】
2017147515.tif 000008
【図７】
2017147515.tif 000009
【図８】
2017147515.tif 000010
【図９】
2017147515.tif 000011
【手続補正書】
【提出日】平成29年5月10日(2017.5.10)
【手続補正１】
【補正対象書類名】特許請求の範囲
【補正対象項目名】全文
【補正方法】変更
【補正の内容】
【特許請求の範囲】
【請求項１】
基地局とユーザ装置とを有する無線通信システムにおけるユーザ装置であって、
当該ユーザ装置でサポートするバンド組み合わせ、ＭＩＭＯレイヤ数及び変調方式と、当該ユーザ装置でサポートするＵＥカテゴリとを前記基地局に通知する通知部と、
当該ユーザ装置がサポートするバンド組み合わせ、ＭＩＭＯレイヤ数及び変調方式で行われるキャリアアグリゲーションで実現可能な最大ビットレートが、当該ユーザ装置でサポートするＵＥカテゴリでサポートすべき最大ビットレートを超える場合に、前記ＵＥカテゴリで当該ユーザ装置がサポートすべき最大ビットレート以下で前記基地局からトランスポートブロックを受信する受信部と、
前記トランスポートブロックを復号するとき、前記基地局に通知した前記バンド組み合わせ、前記ＭＩＭＯレイヤ数及び前記変調方式で実現可能な最大ビットレートよりも低減されたビットレートに基づいて、前記トランスポートブロックを復号する復号部とを有するユーザ装置。
【請求項２】
基地局とユーザ装置とを有する無線通信システムにおける基地局であって、
前記ユーザ装置のＵＥカテゴリごとに、前記ユーザ装置がサポートすべき最大ビットレートを記憶する記憶部と、
前記ユーザ装置のＵＥ能力を取得する取得部と、
キャリアアグリゲーションを行う場合であって、かつ、取得した前記ユーザ装置のＵＥ能力に含まれるＵＥカテゴリが特定のＵＥカテゴリである場合、前記特定のＵＥカテゴリで前記ユーザ装置がサポートすべき最大ビットレートを超えない範囲でスケジューリングを行うスケジューリング部とを有し、
前記スケジューリング部は、前記ユーザ装置から取得したＵＥ能力に含まれる所定のバンド組み合わせ、所定のＭＩＭＯレイヤ数及び所定の変調方式でキャリアアグリゲーションを行う場合に、当該所定のバンド組み合わせ、所定のＭＩＭＯレイヤ数及び所定の変調方式で行われるキャリアアグリゲーションで実現可能な最大ビットレートが、前記特定のＵＥカテゴリで前記ユーザ装置がサポートすべき所定の幅の最大ビットレートの上限を超える場合、前記特定のＵＥカテゴリで前記ユーザ装置がサポートすべき所定の幅の最大ビットレートの上限を超えない範囲でスケジューリングを行う基地局。
【請求項３】
基地局とユーザ装置とを有する無線通信システムにおけるユーザ装置が実行する通信方法であって、
当該ユーザ装置でサポートするバンド組み合わせ、ＭＩＭＯレイヤ数及び変調方式と、当該ユーザ装置でサポートするＵＥカテゴリとを前記基地局に通知するステップと、
当該ユーザ装置がサポートするバンド組み合わせ、ＭＩＭＯレイヤ数及び変調方式で行われるキャリアアグリゲーションで実現可能な最大ビットレートが、当該ユーザ装置でサポートするＵＥカテゴリでサポートすべき最大ビットレートを超える場合に、前記ＵＥカテゴリで当該ユーザ装置がサポートすべき最大ビットレート以下で前記基地局からトランスポートブロックを受信するステップと、
前記トランスポートブロックを復号するとき、前記基地局に通知した前記バンド組み合わせ、前記ＭＩＭＯレイヤ数及び前記変調方式で実現可能な最大ビットレートよりも低減されたビットレートに基づいて、前記トランスポートブロックを復号するステップとを有する通信方法。
【手続補正２】
【補正対象書類名】明細書
【補正対象項目名】００１２
【補正方法】変更
【補正の内容】
【００１２】
開示の技術のユーザ装置は、基地局とユーザ装置とを有する無線通信システムにおけるユーザ装置であって、当該ユーザ装置でサポートするバンド組み合わせ、ＭＩＭＯレイヤ数及び変調方式と、当該ユーザ装置でサポートするＵＥカテゴリとを前記基地局に通知する通知部と、当該ユーザ装置がサポートするバンド組み合わせ、ＭＩＭＯレイヤ数及び変調方式で行われるキャリアアグリゲーションで実現可能な最大ビットレートが、当該ユーザ装置でサポートするＵＥカテゴリでサポートすべき最大ビットレートを超える場合に、前記ＵＥカテゴリで当該ユーザ装置がサポートすべき最大ビットレート以下で前記基地局からトランスポートブロックを受信する受信部と、前記トランスポートブロックを復号するとき、前記基地局に通知した前記バンド組み合わせ、前記ＭＩＭＯレイヤ数及び前記変調方式で実現可能な最大ビットレートよりも低減されたビットレートに基づいて、前記トランスポートブロックを復号する復号部とを有する。
【手続補正３】
【補正対象書類名】明細書
【補正対象項目名】００４７
【補正方法】変更
【補正の内容】
【００４７】
＜まとめ＞
以上、実施の形態によれば、基地局とユーザ装置とを有する無線通信システムにおけるユーザ装置であって、当該ユーザ装置でサポートするバンド組み合わせ、ＭＩＭＯレイヤ数及び変調方式と、当該ユーザ装置でサポートするＵＥカテゴリとを前記基地局に通知する通知部と、当該ユーザ装置がサポートするバンド組み合わせ、ＭＩＭＯレイヤ数及び変調方式で行われるキャリアアグリゲーションで実現可能な最大ビットレートが、当該ユーザ装置でサポートするＵＥカテゴリでサポートすべき最大ビットレートを超える場合に、前記ＵＥカテゴリで当該ユーザ装置がサポートすべき最大ビットレート以下で前記基地局からトランスポートブロックを受信する受信部と、前記トランスポートブロックを復号するとき、前記基地局に通知した前記バンド組み合わせ、前記ＭＩＭＯレイヤ数及び前記変調方式で実現可能な最大ビットレートよりも低減されたビットレートに基づいて、前記トランスポートブロックを復号する復号部とを有するユーザ装置が提供される。このユーザ装置ＵＥにより、特定のＵＥカテゴリに対応するユーザ装置が、ユーザ装置の能力の範囲内で適切に通信を行うことが可能な技術が提供される。
【手続補正４】
【補正対象書類名】明細書
【補正対象項目名】００４８
【補正方法】変更
【補正の内容】
【００４８】
また、実施の形態によれば、基地局とユーザ装置とを有する無線通信システムにおける基地局であって、前記ユーザ装置のＵＥカテゴリごとに、前記ユーザ装置がサポートすべき最大ビットレートを記憶する記憶部と、前記ユーザ装置のＵＥ能力を取得する取得部と、キャリアアグリゲーションを行う場合であって、かつ、取得した前記ユーザ装置のＵＥ能力に含まれるＵＥカテゴリが特定のＵＥカテゴリである場合、前記特定のＵＥカテゴリで前記ユーザ装置がサポートすべき最大ビットレートを超えない範囲でスケジューリングを行うスケジューリング部とを有し、前記スケジューリング部は、前記ユーザ装置から取得したＵＥ能力に含まれる所定のバンド組み合わせ、所定のＭＩＭＯレイヤ数及び所定の変調方式でキャリアアグリゲーションを行う場合に、当該所定のバンド組み合わせ、所定のＭＩＭＯレイヤ数及び所定の変調方式で行われるキャリアアグリゲーションで実現可能な最大ビットレートが、前記特定のＵＥカテゴリで前記ユーザ装置がサポートすべき所定の幅の最大ビットレートの上限を超える場合、前記特定のＵＥカテゴリで前記ユーザ装置がサポートすべき所定の幅の最大ビットレートの上限を超えない範囲でスケジューリングを行う基地局が提供される。この基地局ｅＮＢにより、特定のＵＥカテゴリに対応するユーザ装置が、ユーザ装置の能力の範囲内で適切に通信を行うことが可能な技術が提供される。
【手続補正５】
【補正対象書類名】明細書
【補正対象項目名】００５０
【補正方法】変更
【補正の内容】
【００５０】
また、実施の形態によれば、基地局とユーザ装置とを有する無線通信システムにおけるユーザ装置が実行する通信方法であって、当該ユーザ装置でサポートするバンド組み合わせ、ＭＩＭＯレイヤ数及び変調方式と、当該ユーザ装置でサポートするＵＥカテゴリとを前記基地局に通知するステップと、当該ユーザ装置がサポートするバンド組み合わせ、ＭＩＭＯレイヤ数及び変調方式で行われるキャリアアグリゲーションで実現可能な最大ビットレートが、当該ユーザ装置でサポートするＵＥカテゴリでサポートすべき最大ビットレートを超える場合に、前記ＵＥカテゴリで当該ユーザ装置がサポートすべき最大ビットレート以下で前記基地局からトランスポートブロックを受信するステップと、前記トランスポートブロックを復号するとき、前記基地局に通知した前記バンド組み合わせ、前記ＭＩＭＯレイヤ数及び前記変調方式で実現可能な最大ビットレートよりも低減されたビットレートに基づいて、前記トランスポートブロックを復号するステップとを有する通信方法が提供される。この通信方法により、特定のＵＥカテゴリに対応するユーザ装置が、ユーザ装置の能力の範囲内で適切に通信を行うことが可能な技術が提供される。
【手続補正６】
【補正対象書類名】明細書
【補正対象項目名】００５２
【補正方法】変更
【補正の内容】
【００５２】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置ＵＥ／基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア及び本発明の実施の形態に従って基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
（付記）
以上説明した実施の形態に関し、更に以下の付記のようにも記載できる。
（付記１）
基地局とユーザ装置とを有する無線通信システムにおけるユーザ装置であって、
当該ユーザ装置でサポートするバンド組み合わせ、ＭＩＭＯレイヤ数及び変調方式と、当該ユーザ装置でサポートするＵＥカテゴリとを前記基地局に通知する通知部と、
当該ユーザ装置がサポートするバンド組み合わせ、ＭＩＭＯレイヤ数及び変調方式で行われるキャリアアグリゲーションで実現可能な最大ビットレートが、当該ユーザ装置でサポートするＵＥカテゴリでサポートすべき最大ビットレートを超える場合に、前記ＵＥカテゴリで当該ユーザ装置がサポートすべき最大ビットレート以下で前記基地局からデータを受信する受信部と、
を有するユーザ装置。
（付記２）
基地局とユーザ装置とを有する無線通信システムにおける基地局であって、
前記ユーザ装置のＵＥカテゴリごとに、前記ユーザ装置がサポートすべき最大ビットレートを記憶する記憶部と、
前記ユーザ装置のＵＥカテゴリを取得する取得部と、
キャリアアグリゲーションを行う場合であって、かつ、取得した前記ユーザ装置のＵＥカテゴリが特定のＵＥカテゴリである場合、前記特定のＵＥカテゴリで前記ユーザ装置がサポートすべき最大ビットレートを超えない範囲でスケジューリングを行うスケジューリング部と、
を有する基地局。
（付記３）
前記スケジューリング部は、所定のバンド組み合わせ、所定のＭＩＭＯレイヤ数及び所定の変調方式でキャリアアグリゲーションを行う場合に、当該所定のバンド組み合わせ、所定のＭＩＭＯレイヤ数及び所定の変調方式で行われるキャリアアグリゲーションで実現可能な最大ビットレートが、前記特定のＵＥカテゴリで前記ユーザ装置がサポートすべき所定の幅の最大ビットレートの上限を超える場合、前記特定のＵＥカテゴリで前記ユーザ装置がサポートすべき所定の幅の最大ビットレートの上限を超えない範囲でスケジューリングを行う、
付記２に記載の基地局。
（付記４）
基地局とユーザ装置とを有する無線通信システムにおけるユーザ装置が実行する通信方法であって、
当該ユーザ装置でサポートするバンド組み合わせ、ＭＩＭＯレイヤ数及び変調方式と、当該ユーザ装置でサポートするＵＥカテゴリとを前記基地局に通知するステップと、
当該ユーザ装置がサポートするバンド組み合わせ、ＭＩＭＯレイヤ数及び変調方式で行われるキャリアアグリゲーションで実現可能な最大ビットレートが、当該ユーザ装置でサポートするＵＥカテゴリでサポートすべき最大ビットレートを超える場合に、前記ＵＥカテゴリで当該ユーザ装置がサポートすべき最大ビットレート以下で前記基地局からデータを受信するステップと、
を有する通信方法。